【手続補正書】
【提出日】平成29年10月30日(2017.10.30)
【手続補正１】
【補正対象書類名】特許請求の範囲
【補正対象項目名】全文
【補正方法】変更
【補正の内容】
【特許請求の範囲】
【請求項１】
撮像手段により撮像される画像から被写体の所定の動作を検出する処理を実行する動作検出手段と、
前記動作検出手段により所定の動作が検出された後の、前記撮像手段により撮像される画像の状態を検出する処理を実行する状態検出手段と、
前記状態検出手段による検出結果に応じて、前記動作検出手段による前記被写体の所定の動作を検出する処理を、継続するか否かを制御する制御手段と、
を備えることを特徴とする撮像装置。
【請求項２】
前記状態検出手段は、
前記動作検出手段により所定の動作が検出された後の、前記撮像手段により撮像される画像の状態として、当該撮像手段により撮像される画像の変化を検出する処理を実行することを特徴とする請求項１に記載の撮像装置。
【請求項３】
前記撮像手段により撮像される画像から人の顔を検出する処理を実行する顔検出手段を、更に備え、
前記状態検出手段は、
前記顔検出手段により検出された人の顔の撮像画像に対する変化を検出する処理を実行し、
前記制御手段は、
前記状態検出手段による前記人の顔の撮像画像に対する変化の検出結果に応じて、前記動作検出手段による前記被写体の所定の動作を検出する処理を継続するか否かを制御することを特徴とする請求項２に記載の撮像装置。
【請求項４】
前記状態検出手段は、
前記顔検出手段により検出された人の顔の撮像画像に対する面積の変化を検出する処理を実行し、
前記制御手段は、
前記状態検出手段による前記人の顔の撮像画像に対する面積の変化の検出結果に応じて、前記動作検出手段による前記被写体の所定の動作を検出する処理を継続するか否かを制御することを特徴とする請求項３に記載の撮像装置。
【請求項５】
前記制御手段は、
前記状態検出手段により、前記人の顔の撮像画像に対する面積が、前記動作検出手段により所定の動作が検出された際の当該人の顔の面積から所定の割合で増大したと判別された場合、前記動作検出手段による前記被写体の所定の動作を検出する処理を継続せず停止することを特徴とする請求項４に記載の撮像装置。
【請求項６】
前記状態検出手段は、
前記顔検出手段により前記人の顔が継続して検出されない非検出時間を計測する処理を実行し、
前記制御手段は、
前記非検出時間に応じて、前記動作検出手段による前記被写体の所定の動作を検出する処理を継続するか否かを制御することを特徴とする請求項３に記載の撮像装置。
【請求項７】
前記制御手段は、
前記状態検出手段によって、前記非検出時間が所定時間を超過したと判別された場合、前記動作検出手段による前記被写体の所定の動作を検出する処理を継続せず停止することを特徴とする請求項６に記載の撮像装置。
【請求項８】
前記状態検出手段は、
前記顔検出手段によって、前記撮像手段により撮像される画像から複数の人の顔が検出された場合、当該複数の人の顔の撮像画像に対する変化を検出する処理を実行し、
前記制御手段は、
前記状態検出手段による前記複数の人の顔の撮像画像に対する変化の検出結果に応じて、前記動作検出手段による前記被写体の所定の動作を検出する処理を継続するか否かを制御することを特徴とする請求項３に記載の撮像装置。
【請求項９】
前記状態検出手段は、
前記顔検出手段により検出された複数の人の顔の数の変化を検出する処理を実行し、
前記制御手段は、
前記状態検出手段による前記複数の人の顔の数の変化の検出結果に応じて、前記動作検出手段による前記被写体の所定の動作を検出する処理を継続するか否かを制御することを特徴とする請求項８に記載の撮像装置。
【請求項１０】
前記制御手段は、
前記状態検出手段により前記複数の人の顔の数が所定の割合で減少したと判別された場合、前記動作検出手段による前記被写体の所定の動作を検出する処理を継続せず停止することを特徴とする請求項９に記載の撮像装置。
【請求項１１】
前記顔検出手段によって、前記撮像手段により撮像される画像から複数の人の顔が検出された場合、当該複数の人の顔から予め登録されている特定の人の顔を認証する処理を実行する顔認証手段を、更に備え、
前記状態検出手段は、
前記顔認証手段により特定の人の顔が認証された場合、当該特定の人の顔の撮像画像に対する変化を検出する処理を実行し、
前記制御手段は、
前記状態検出手段による前記特定の人の顔の撮像画像に対する変化の検出結果に応じて、前記動作検出手段による前記被写体の所定の動作を検出する処理を継続するか否かを制御することを特徴とする請求項３に記載の撮像装置。
【請求項１２】
前記状態検出手段は、
前記顔認証手段により認証された特定の人の顔の撮像画像に対する面積の変化を検出する処理を実行し、
前記制御手段は、
前記状態検出手段による前記特定の人の顔の撮像画像に対する面積の変化の検出結果に応じて、前記動作検出手段による前記被写体の所定の動作を検出する処理を継続するか否かを制御することを特徴とする請求項１１に記載の撮像装置。
【請求項１３】
前記制御手段は、
前記状態検出手段により、前記特定の人の顔の撮像画像に対する面積が、前記動作検出手段により所定の動作が検出された際の当該特定の人の顔の面積から所定の割合で増大したと判別された場合、前記動作検出手段による前記被写体の所定の動作を検出する処理を継続せず停止することを特徴とする請求項１２に記載の撮像装置。
【請求項１４】
前記状態検出手段は、
前記顔認証手段により前記特定の人の顔が継続して認証されない非認証時間を計測する処理を実行し、
前記制御手段は、
前記非認証時間に応じて、前記動作検出手段による前記被写体の所定の動作を検出する処理を継続するか否かを制御することを特徴とする請求項１１に記載の撮像装置。
【請求項１５】
前記制御手段は、
前記状態検出手段によって、前記非認証時間が所定時間を超過したと判別された場合、前記動作検出手段による前記被写体の所定の動作を検出する処理を継続せず停止することを特徴とする請求項１４に記載の撮像装置。
【請求項１６】
前記所定の動作は、撮影の実行を指示する動作であって、
前記動作検出手段により前記所定の動作が検出された際に、撮影を実行する処理を行う撮影処理手段を、更に備えることを特徴とする請求項１〜１５の何れか一項に記載の撮像装置。
【請求項１７】
表示手段により表示される被写体の画像を当該被写体自身に視認させることが可能な所定の状態であるか否かを判定する状態判定手段を、更に備え、
前記動作検出手段は、
前記状態判定手段により所定の状態であると判定された場合に、前記撮像手段により撮像される画像から被写体の所定の動作を検出する処理を実行することを特徴とする請求項１〜１６の何れか一項に記載の撮像装置。
【請求項１８】
撮像手段により撮像される画像から被写体の所定の動作を検出する処理と、
所定の動作が検出された後の、前記撮像手段により撮像される画像の状態を検出する処理と、
前記撮像手段により撮像される画像の状態の検出結果に応じて、前記被写体の所定の動作の検出を継続するか否かを制御する処理と、
を含むことを特徴とする撮像制御方法。
【請求項１９】
コンピュータに、
撮像手段により撮像される画像から被写体の所定の動作を検出する処理を実行する動作検出機能、
前記動作検出機能により所定の動作が検出された後の、前記撮像手段により撮像される画像の状態を検出する処理を実行する状態検出機能、
前記状態検出機能による検出結果に応じて、前記動作検出機能による前記被写体の所定の動作を検出する処理を継続するか否かを制御する制御機能、
を実現させることを特徴とするプログラム。